(57)【要約】【課題】ＣＰＲＭ機能を有するＤＶＤレコーダにおいて、コンテンツをＣＰＲＭ対応ＤＶＤメディアに録画するときにユーザが録画釦を押下すると、速やかに録画を開始することができるものとする。【解決手段】ＣＰＲＭ対応ＤＶＤメディアがローディングされると（Ｓ３０１）、暗号化デバイスは、命令受付部が録画命令を受付けたか否かに関わらず、メディアキー記憶しておく（Ｓ３０３）。また、暗号化デバイスは、ハードディスク録画再生装置がコンテンツをハードディスクに録画した後にもメディアキー記憶しておく（Ｓ３１３）。これにより、ユーザが録画釦を押下すると、暗号化デバイスは既に記憶しているメディアキーを用いて直ちにコンテンツを暗号化するため、ＤＶＤ録画再生装置は暗号化されたコンテンツを速やかにＣＰＲＭ対応ＤＶＤメディアに録画することが可能となる。【選択図】図３
2008059675.tif 000002
【特許請求の範囲】
【請求項１】
ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）に対応したＣＰＲＭ対応ＤＶＤメディアが保持するメディアキーを用いて、前記ＣＰＲＭ対応ＤＶＤメディアに映像及び音声からなるコンテンツを録画することができるＤＶＤレコーダにおいて、
前記コンテンツが録画されるハードディスクと、
ＤＶＤメディアまたは前記ハードディスクのいずれか一方を選択して前記コンテンツを録画する録画命令を受け付ける命令受付部と、
前記コンテンツを暗号化する暗号化デバイスと、
前記コンテンツを前記ＤＶＤメディアまたは前記ハードディスクに録画する録画手段と、
前記暗号化デバイスが前記コンテンツを暗号化するために用いる前記ＤＶＤレコーダに付与されたデバイスキーを記憶する記憶部と、
前記ＤＶＤレコーダ全体を制御する制御部と、を備え、
前記ハードディスクは、前記暗号化デバイスが前記コンテンツを暗号化するために使用するハードディスクキーを保持し、
前記暗号化デバイスは、前記ＤＶＤレコーダに前記ＤＶＤメディアが挿入されると、前記ＤＶＤメディアが前記メディアキーを保持しているか否かを検出し、
前記暗号化デバイスは、前記メディアキーを検出すると、前記メディアキーを読み出して記憶しておき、前記命令受付部が、前記コンテンツを前記ＣＰＲＭ対応ＤＶＤメディアに録画する前記録画命令を受け付けると、記憶している前記メディアキーと、前記記憶部から読み出した前記デバイスキーとを用いて前記コンテンツを暗号化し、前記録画手段は、前記暗号化デバイスによって暗号化された前記コンテンツを前記ＣＰＲＭ対応ＤＶＤメディアに録画し、
前記暗号化デバイスが前記メディアキーを記憶しているときに、前記命令受付部が、前記コンテンツを前記ハードディスクに録画する前記録画命令を受け付けると、前記暗号化デバイスは、前記ハードディスクから前記ハードディスクキーを読み出して、記憶している前記メディアキーに替えて前記ハードディスクキーを記憶し、前記ハードディスクキーと前記記憶部から読み出した前記デバイスキーとを用いて前記コンテンツを暗号化し、録画手段が、暗号化された前記コンテンツを前記ハードディスクに録画し終えると、前記暗号化デバイスは、再度、前記メディアキーを読み出して記憶している前記ハードディスクキーに替えて、前記メディアキーを記憶することよって、
前記命令受付部が、前記コンテンツを前記ＣＰＲＭ対応ＤＶＤメディアに録画する前記録画命令を受け付けると、前記録画手段は、速やかに前記暗号化デバイスによって暗号化された前記コンテンツの前記ＣＰＲＭ対応ＤＶＤメディアへの録画を開始することを特徴とするＤＶＤレコーダ。
【請求項２】
ＣＰＲＭに対応したＣＰＲＭ対応ＤＶＤメディアが保持するメディアキーを用いて、前記ＣＰＲＭ対応ＤＶＤメディアに映像及び音声からなるコンテンツを録画することができるＤＶＤレコーダにおいて、
映像及び音声からなるコンテンツをＤＶＤメディアに録画する録画手段と、
前記コンテンツを暗号化する暗号化デバイスと、
前記暗号化デバイスが前記コンテンツを暗号化するときに使用する前記ＤＶＤレコーダに付与されたデバイスキーを記憶する記憶部と、
前記ＤＶＤレコーダ全体を制御する制御部と、を備え、
前記暗号化デバイスは、前記ＤＶＤレコーダに前記ＤＶＤメディアが挿入されると、前記ＤＶＤメディアが前記メディアキーを保持しているか否かを検出し、
前記暗号化デバイスは、前記メディアキーを検出すると、前記メディアキーを読み出して記憶しておき、前記録画手段が、前記コンテンツを前記ＣＰＲＭ対応ＤＶＤメディアに録画するときに、既に記憶している前記メディアキーと、前記記憶部から読み出した前記デバイスキーとを用いて前記コンテンツを暗号化することによって、
前記暗号化デバイスは、速やかに前記コンテンツを暗号化することを特徴とするＤＶＤレコーダ。
【請求項３】
前記ＤＶＤレコーダは、前記コンテンツが録画され、前記暗号化デバイスが前記コンテンツを暗号化するために使用するハードディスクキーを保持したハードディスクをさらに備え、
前記録画手段が、前記コンテンツを前記ハードディスクに録画するとき、前記暗号化デバイスは、記憶している前記メディアキーに替えて前記ハードディスクキーを記憶し、記憶した前記ハードディスクキーと、前記記憶部から読み出した前記デバイスキーとを用いて前記コンテンツを暗号化し、
前記録画手段が、前記コンテンツを前記ハードディスクに録画し終えると、前記暗号化デバイスは、前記メディアキーを読み出して記憶しておくことを特徴とする請求項２に記載のＤＶＤレコーダ。
【発明の詳細な説明】
【技術分野】
【０００１】
本発明は、ＣＰＲＭに対応したＤＶＤメディアにコンテンツを録画することができるＤＶＤレコーダに関する。
【背景技術】
【０００２】
従来のＤＶＤレコーダにおいては、ＤＶＤメディアがＤＶＤレコーダに挿入された直後に、ユーザがコンテンツをＤＶＤメディアに録画するために操作パネル又はリモートコントローラの録画釦を押下しても直ちに録画が開始されなかった。それは、現在、ＤＶＤレコーダで再生／録画できるメディアの種類が多様化しているため、多くのＤＶＤレコーダは、挿入されたメディアの種別を自動判別する自動判別機能を備えているからである。
つまり、ＤＶＤレコーダにＤＶＤメディアが挿入されると自動判別機能が作動するため、操作パネル又はリモートコントローラの録画釦が押下されたとしても、この自動判別機能が終了するまで録画が開始されないのである。そこで、例えば、特許文献１に示されるように、ユーザが予めメディアの種別を指定することによりＤＶＤレコーダにおける自動判別時間を短縮する技術が知られている。
【０００３】
しかしながら、特許文献１に示される技術においては、挿入されたメディアがＣＰＲＭに対応したＤＶＤメディアであるとき、メディアの種別が早期に判別されたとしても、ＤＶＤレコーダは、コンテンツを暗号化しなければならないため、ユーザが操作パネル又はリモートコントローラの録画釦を押下しても、速やかに録画が開始されなかった。
【特許文献１】特開２００３−１７８４４５号公報
【発明の開示】
【発明が解決しようとする課題】
【０００４】
本発明は、上記従来例の問題を解決するためになされたものであり、ＣＰＲＭに対応したＤＶＤメディアにコンテンツを録画する場合において、ユーザが操作パネル又はリモートコントローラの録画釦を押下すると、速やかに録画が開始されるＣＰＲＭ機能を有するＤＶＤレコーダを提供することを目的とする。
【課題を解決するための手段】
【０００５】
上記目的を達成するために請求項１の発明は、ＣＰＲＭに対応したＣＰＲＭ対応ＤＶＤメディアが保持するメディアキーを用いて、ＣＰＲＭ対応ＤＶＤメディアに映像及び音声からなるコンテンツを録画することができるＤＶＤレコーダにおいて、コンテンツが録画されるハードディスクと、ＤＶＤメディアまたはハードディスクのいずれか一方を選択してコンテンツを録画する録画命令を受け付ける命令受付部と、コンテンツを暗号化する暗号化デバイスと、コンテンツをＤＶＤメディアまたはハードディスクに録画する録画手段と、暗号化デバイスがコンテンツを暗号化するために用いるＤＶＤレコーダに付与されたデバイスキーを記憶する記憶部と、ＤＶＤレコーダ全体を制御する制御部と、を備え、ハードディスクは、暗号化デバイスがコンテンツを暗号化するために使用するハードディスクキーを保持し、暗号化デバイスは、ＤＶＤレコーダにＤＶＤメディアが挿入されると、ＤＶＤメディアがメディアキーを保持しているか否かを検出し、暗号化デバイスは、メディアキーを検出すると、メディアキーを読み出して記憶しておき、命令受付部が、コンテンツをＣＰＲＭ対応ＤＶＤメディアに録画する録画命令を受け付けると、記憶しているメディアキーと、記憶部から読み出したデバイスキーとを用いてコンテンツを暗号化し、録画手段は、暗号化デバイスによって暗号化されたコンテンツをＣＰＲＭ対応ＤＶＤメディアに録画し、暗号化デバイスがメディアキーを記憶しているときに、命令受付部が、コンテンツをハードディスクに録画する録画命令を受け付けると、暗号化デバイスは、ハードディスクからハードディスクキーを読み出して、記憶しているメディアキーに替えてハードディスクキーを記憶し、ハードディスクキーと記憶部から読み出したデバイスキーとを用いてコンテンツを暗号化し、録画手段が、暗号化されたコンテンツをハードディスクに録画し終えると、暗号化デバイスは、再度、メディアキーを読み出して記憶しているハードディスクキーに替えて、メディアキーを記憶することよって、命令受付部が、コンテンツをＣＰＲＭ対応ＤＶＤメディアに録画する録画命令を受け付けると、録画手段は、速やかに暗号化デバイスによって暗号化されたコンテンツのＣＰＲＭ対応ＤＶＤメディアへの録画を開始するようにしたものである。
【０００６】
また、請求項２の発明は、ＣＰＲＭに対応したＣＰＲＭ対応ＤＶＤメディアが保持するメディアキーを用いて、ＣＰＲＭ対応ＤＶＤメディアに映像及び音声からなるコンテンツを録画することができるＤＶＤレコーダにおいて、映像及び音声からなるコンテンツをＤＶＤメディアに録画する録画手段と、コンテンツを暗号化する暗号化デバイスと、
暗号化デバイスがコンテンツを暗号化するときに使用するＤＶＤレコーダに付与されたデバイスキーを記憶する記憶部と、ＤＶＤレコーダ全体を制御する制御部と、を備え、暗号化デバイスは、ＤＶＤレコーダにＤＶＤメディアが挿入されると、ＤＶＤメディアがメディアキーを保持しているか否かを検出し、暗号化デバイスは、メディアキーを検出すると、メディアキーを読み出して記憶しておき、録画手段が、コンテンツをＣＰＲＭ対応ＤＶＤメディアに録画するときに、既に記憶しているメディアキーと、記憶部から読み出したデバイスキーとを用いてコンテンツを暗号化することによって、録画手段は、暗号化デバイスによって速やかに暗号化されたコンテンツをＣＰＲＭ対応ＤＶＤメディアに録画するようにしたものである。
【０００７】
また、請求項３の発明は、請求項２のＤＶＤレコーダにおいて、ＤＶＤレコーダは、コンテンツが録画され、暗号化デバイスがコンテンツを暗号化するために使用するハードディスクキーを保持したハードディスクをさらに備え、録画手段が、コンテンツをハードディスクに録画するとき、暗号化デバイスは、記憶しているメディアキーに替えてハードディスクキーを記憶し、記憶したハードディスクキーと、記憶部から読み出したデバイスキーとを用いてコンテンツを暗号化し、録画手段が、コンテンツをハードディスクに録画し終えると、暗号化デバイスは、メディアキーを読み出して記憶しておくようにしたものである。
【発明の効果】
【０００８】
請求項１の発明によれば、ＤＶＤレコーダに挿入されたＤＶＤメディアがＣＰＲＭ対応ＤＶＤメディアである場合、暗号化デバイスは、命令受付部がコンテンツをＣＰＲＭ対応ＤＶＤメディアまたはハードディスクに録画する録画命令を受付けたか否かに関わらず、ＣＰＲＭ対応ＤＶＤメディアが保持するメディアキーを読み出して記憶しておく。命令受付部が、ＣＰＲＭ対応ＤＶＤメディアにコンテンツを録画する録画命令を受けると、暗号化デバイスは、ＣＰＲＭ対応ＤＶＤメディアからメディアキーを読み出す必要がないため、既に記憶しているメディアキーを用いてコンテンツを暗号化することができる。これにより、録画手段は、命令受付部がＣＰＲＭ対応ＤＶＤメディアにコンテンツを録画する録画命令を受け付けると、速やかに暗号化されたコンテンツをＣＰＲＭ対応ＤＶＤメディアに録画することができる。
【０００９】
さらに請求項１の発明によれば、録画手段が暗号化されたコンテンツをハードディスクに録画し終えたとき、暗号化デバイスは、ＣＰＲＭ対応ＤＶＤメディアが保持するメディアキーを読み出して記憶しておくため、その後、命令受付部が、ＣＰＲＭ対応ＤＶＤメディアにコンテンツを録画する録画命令を受け付けたとしても、録画手段は、速やかに暗号化されたコンテンツをＣＰＲＭ対応ＤＶＤメディアに録画することができる。
【００１０】
請求項２の発明によれば、ＤＶＤレコーダに挿入されたＤＶＤメディアがＣＰＲＭ対応ＤＶＤメディアである場合、暗号化デバイスは、録画手段がコンテンツをＣＰＲＭ対応ＤＶＤメディアに録画するか否かに関わらず、ＣＰＲＭ対応ＤＶＤメディアが保持するメディアキーを読み出して記憶しておく。これにより、録画手段がコンテンツをＣＰＲＭ対応ＤＶＤメディアに録画するとき、暗号化デバイスは、既に記憶しているメディアキーを用いて速やかにコンテンツを暗号化することができる。
【００１１】
請求項３の発明によれば、録画手段が暗号化されたコンテンツをハードディスクに録画し終えると、暗号化デバイスは、ＣＰＲＭ対応ＤＶＤメディアが保持するメディアキーを読み出して記憶しておく。これにより、その後、録画手段がコンテンツをＣＰＲＭ対応ＤＶＤメディアに録画するとき、暗号化デバイスは、既に記憶しているメディアキーを用いて速やかにコンテンツを暗号化することができる。
【発明を実施するための最良の形態】
【００１２】
以下、本発明の実施形態に係るＤＶＤレコーダについて、図面を参照して説明する。図１は、本発明の実施形態に係るＤＶＤレコーダの概略構成を示す。ＤＶＤレコーダ１は、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）機能を有している。ＣＰＲＭとは、ＤＶＤ規格で採用されている著作権保護技術であり、各種暗号化キーを用いてコンテンツを暗号化することによって、コンテンツを１度だけハードディスクまたはＤＶＤメディアに録画することを許可する技術である。これにより、ユーザは、１度録画したコンテンツを、他の機器やメディアへコピーすることができなくなるため、コンテンツの著作権を保護することが可能となる。
【００１３】
ＤＶＤレコーダ１は、ＤＶＤレコーダ１全体を制御する制御部２と、ＤＶＤレコーダ１に付与されているデバイスキー３を記憶する記憶部４と、映像及び音声からなるコンテンツが録画されるハードディスク５と、ハードディスク５にコンテンツを録画するハードディスク録画再生装置６（録画手段）と、ＤＶＤメディア７（ＣＰＲＭ対応ＤＶＤメディア７Ａを含む）にコンテンツを録画するＤＶＤ録画再生装置８（録画手段）と、ＣＰＲＭ機能を実現するためにハードディスク４またはＤＶＤメディア７に録画するコンテンツを暗号化する暗号化デバイス９と、コンテンツをハードディスク５またはＤＶＤメディア７に録画する録画命令をユーザからリモコン１０や操作パネル（図示しない）を介して入力される命令受付部１１と、コンテンツをテレビやパソコンなどの表示機器１２に出力する出力部１３とを備える。
【００１４】
ハードディスク５は、暗号化デバイス９がコンテンツを暗号化するときに用いられるハードディスクキー１４を保持する。ここで、ＤＶＤレコーダ１に挿入されるＤＶＤメディア７は、ＣＰＲＭ対応ＤＶＤメディア７Ａであって、例えば、ＤＶＤ−ＲＷ（Ｄｉｇｉｔａｌ  Ｖｅｒｓａｔｉｌｅ  Ｄｉｓｋ  ＲｅＷｒｉｔａｂｌｅ）やＤＶＤ−ＲＡＭ（Ｄｉｇｉｔａｌ  Ｖｅｒｓａｔｉｌｅ  Ｄｉｓｋ  Ｒａｎｄａｍ  Ａｃｃｅｓｓ  Ｍｅｍｏｒｙ）などである。ＣＰＲＭ対応ＤＶＤメディア７Ａは、暗号化デバイス９がコンテンツを暗号化するときに用いられるメディアキー１５を保持する。
【００１５】
暗号化デバイス９は、ＣＰＲＭ機能を実現するため不可欠なデバイスであって、その詳細な仕様は暗号化デバイス９を製造するデバイスメーカー以外には開示されていない。そのため、ＣＰＲＭ機能を有するＤＶＤレコーダ１を製造する家電メーカーは、自社で暗号化デバイス９を製造することができないため、デバイスメーカーから提供された暗号化デバイス９を使用してＤＶＤレコーダ１を製造することとなる。なお、暗号化デバイス９は、デバイスキー３のみを一時的に記憶する領域と、ハードディスクキー１４またはメディアキー１５のいずれか一方のみを一時的に記憶する領域を有していることが知られている。よって、暗号化デバイス９は、ハードディスクキー１４またはメディアキー１５のいずれか一方と、デバイスキー３とを同時に記憶することができるが、ハードディスクキー１４とメディアキー１５とを同時に記憶するはできない仕様となっている。
【００１６】
次に、暗号化デバイス９がコンテンツを暗号化する手順について説明する。図２は、暗号化デバイス９の暗号化処理フローを示す。図２（ａ）は、暗号化デバイス９がメディアキー１５とデバイスキー３を用いてコンテンツを暗号化する手順を示し、図２（ｂ）は、暗号化デバイス９がハードディスクキー１４とデバイスキー３を用いてコンテンツを暗号化する手順を示す。ここで、ＤＶＤレコーダ１には、既にＣＰＲＭ対応ＤＶＤメディア７Ａが挿入されているものとする。
【００１７】
図２（ａ）において、暗号化デバイス９は、命令受付部１１がＣＰＲＭ対応ＤＶＤメディア７Ａにコンテンツを録画する録画命令を受付けると暗号化処理を開始する。暗号化デバイス９は、暗号化するために用いるメディアキー１５をＣＰＲＭ対応ＤＶＤメディア７Ａから読み出す（Ｓ１０１）。このとき、ＣＰＲＭ対応ＤＶＤメディア７Ａがアイドル状態にあると、ＤＶＤ録画生成装置８がＣＰＲＭ対応ＤＶＤメディア７Ａを回転させた後、暗号化デバイス９が、ＣＰＲＭ対応ＤＶＤメディア７Ａの特定の位置に保持されているメディアキー１５を読み出すことになる。これにより、暗号化デバイス９がメディアキー１５を読み出すまでに３〜４秒程度かかることがある。メディアキー１５を読み出すと、暗号化デバイス９はメディアキー１５を一時的に記憶する（Ｓ１０２）。以後、暗号化デバイス９が、ＣＰＲＭ対応ＤＶＤメディア７Ａからメディアキー１５を読み出して（Ｓ１０１）、読み出したメディアキー１５を一時的に記憶する（Ｓ１０２）までの動作をメディアキー取得処理とする。
【００１８】
次に、コンテンツを暗号化するにはＤＶＤレコーダ１に付与されているデバイスキー３が必要となるため、暗号化デバイス９は、記憶部４からデバイスキー３を読み出す（Ｓ１０３）。ここで、暗号化デバイス９は、ＣＰＲＭ対応ＤＶＤメディア７Ａからメディアキー１５を読み出すときに比べて、極めて短い時間で記憶部４からデバイスキー３を読み出すことができる。デバイスキー３を読み出すと、暗号化デバイス９はデバイスキー３を一時的に記憶する（Ｓ１０４）。以後、暗号化デバイス９が、記憶部４からデバイスキー３を読み出して（Ｓ１０３）、読み出したデバイスキー３を一時記憶する（Ｓ１０４）までの動作をデバイスキー取得処理とする。暗号化デバイス９は、一時的に記憶しているメディアキー１５及びデバイスキー３を用いてコンテンツを暗号化して（Ｓ１０５）、暗号化処理を終了する。
【００１９】
図２（ｂ）において、暗号化デバイス９は、命令受付部１１がハードディスク５にコンテンツを録画する録画命令を受付けると暗号化処理を開始する。暗号化デバイス９は、暗号化するために用いるハードディスクキー１４をハードディスク５から読み出す（Ｓ２０１）。このとき、暗号化デバイス９は、記憶部４からデバイスキー３を読み取るときと同様に、ＣＰＲＭ対応ＤＶＤメディア７Ａからメディアキー１５を読み出すときに比べて、極めて短い時間でハードディスク５からハードディスクキー１４を読み出すことができる。ハードディスクキー１４を読み出すと、暗号化デバイス９はハードディスクキー１４を一時的に記憶する（Ｓ２０２）。以後、暗号化デバイス９が、ハードディスク５からハードディスクキー１４を読み出して（Ｓ２０１）、読み出したハードディスクキー１４を一時的に記憶する（Ｓ２０２）までの動作をハードディスクキー取得処理とする。続いて、暗号化デバイス９は、デバイスキー取得処理を行い（Ｓ２０３）、一時的に記憶しているハードディスクキー１４及びデバイスキー３を用いてコンテンツを暗号化して（Ｓ２０４）、暗号化処理を終了する。
【００２０】
図３は、ＤＶＤレコーダ１のＣＰＲＭ機能を用いた録画処理フローを示す。ここで、本実施形態に係るＣＰＲＭ機能を用いた録画処理とは、暗号化デバイス９によって暗号化されたコンテンツがＣＰＲＭ対応ＤＶＤメディア７Ａまたはハードディスク５に録画される処理を意味する。ＤＶＤレコーダ１にＤＶＤメディア７がローディングされると（Ｓ３０１）、暗号化デバイス９は、命令受付部１１が録画命令を受付けたか否かに関わらず、ローディングされたＤＶＤメディア７がＣＰＲＭ対応ＤＶＤメディア７Ａであるか否かを検出する（Ｓ３０２）。ＣＰＲＭ対応ＤＶＤメディア７Ａであるか否かを検出するため、暗号化デバイス９は、ローディングされたＤＶＤメディア７がメディアキー１５を保持しているか否かを調べる。ローディングされたＤＶＤメディア７がメディアキー１５を保持しているとき（Ｓ３０２でＹｅｓ）、暗号化デバイス９は、メディアキー取得処理を行ってメディアキー１５を一時的に記憶しておく（Ｓ３０３）。Ｓ３０２において、ローディングされたＤＶＤメディア７がメディアキー１５を保持していないとき（Ｓ３０２でＮｏ）、暗号化デバイス９はメディアキー１５を読み取ることができないため、ＤＶＤレコーダ１は、ＣＰＲＭ機能を用いた録画処理を終了する。
【００２１】
暗号化デバイス９がメディアキー１５を記憶すると、命令受付部１１は、ユーザからコンテンツを録画する録画命令が入力されるのを待ち続ける（Ｓ３０４でＮｏ）。命令受付部１１が、ユーザから入力された録画命令を受付けると（Ｓ３０４でＹｅｓ）、制御部２は、録画命令の内容を参照して、コンテンツを録画するメディアとしてＤＶＤメディア７またはハードディスク５のいずれが選択されているかを判別し、選択されたメディアの種別に応じて後続する処理を決定する（Ｓ３０５）。
【００２２】
ステップＳ３０５において、コンテンツを録画するメディアとしてＤＶＤメディア７が選択されているとき（Ｓ３０５でＹｅｓ）、暗号化デバイス９は、デバイスキー取得処理を行う（Ｓ３０６）。デバイスキー３を一時的に記憶すると、暗号化デバイス９は、既に記憶しているメディアキー１５とデバイスキー３とを用いてコンテンツを暗号化する（Ｓ３０７）。このとき、暗号化デバイス９は、既にメディアキー１５を記憶しているため、時間のかかるメディアキー取得処理を行う必要がないため、速やかにコンテンツを暗号化することが可能となる。ＤＶＤ録画再生装置８は、暗号化されたコンテンツをＣＰＲＭ対応ＤＶＤメディア７Ａに録画し（Ｓ３０８）、ＤＶＤレコーダ１は、ＣＰＲＭ機能を用いた録画処理を終了する。
【００２３】
ステップＳ３０５において、コンテンツを録画するメディアとしてハードディスク５が選択されているとき（Ｓ３０５でＮｏ）、暗号化デバイス９は、ハードディスクキー取得処理を行う（Ｓ３０９）。このとき、暗号化デバイス９が既にメディアキー１５を記憶していると、暗号化デバイス９は、メディアキー１５とハードディスクキー１４とを同時に記憶することができないので、既に記憶しているメディアキー１５に替えて新たにハードディスクキー１４を記憶する。続いて、暗号化デバイス９は、デバイスキー取得処理を行い（Ｓ３１０）、一時的に記憶しているハードディスクキー１４とデバイスキー３とを用いてコンテンツを暗号化する（Ｓ３１１）。ハードディスク録画再生装置８は、暗号化されたコンテンツをハードディスク５に録画する（Ｓ３１２）。ハードディスク録画再生装置８が、コンテンツをハードディスク５に録画し終えると、暗号化デバイス９は、命令受付部１１が録画命令を受付けたか否かに関わらずメディアキー取得処理を行ってメディアキー１５を記憶し（Ｓ３１３）、ＤＶＤレコーダ１は、ＣＰＲＭ機能を用いた録画処理を終了する。
【００２４】
このように、暗号化デバイス９は、ＤＶＤレコーダ１にＣＰＲＭ対応ＤＶＤメディア７Ａがローディングされると、ＣＰＲＭ機能を用いた録画処理が行われるか否かに関わらず、時間のかかるメディアキー取得処理を行っておく。これにより、命令受付部１１が、コンテンツをＣＰＲＭ対応ＤＶＤメディア７Ａに録画する録画命令を受付けたとき、暗号化デバイス９は、時間のかかるメディアキー取得処理を行うことなく、既に記憶しているメディアキー１５を用いて直ちにコンテンツを暗号化することができる。よって、ＤＶＤ録画再生装置８は暗号化されたコンテンツを速やかにＣＰＲＭ対応ＤＶＤメディア７Ａに録画することが可能となる。
【００２５】
また、ハードディスク録画再生装置８が、コンテンツをハードディスク５に録画したとき、暗号化デバイス９は、ハードディスクキー１４を記憶しているために、メディアキー１５を記憶していない状態となっている。そこで、ハードディスク録画再生装置８が、コンテンツをハードディスク５に録画し終えると、暗号化デバイス９は、命令受付部１１が録画命令を受付けたか否かに関わらずメディアキー取得処理を行うことによって、メディアキー１５を記憶した状態を維持することができる。これにより、その後、命令受付部１１が、コンテンツをＣＰＲＭ対応ＤＶＤメディア７Ａに録画する録画命令を受付けた場合であっても、暗号化デバイス９は、時間のかかるメディアキー取得処理を行うことなく、既に記憶しているメディアキー１５を用いて直ちにコンテンツを暗号化することができる。よって、ＤＶＤ録画再生装置８は、ハードディスク録画再生装置８が、コンテンツをハードディスク５に録画した後であっても、暗号化されたコンテンツを速やかにＣＰＲＭ対応ＤＶＤメディア７Ａに録画することが可能となる。
【００２６】
なお、本発明は、上記実施形態の構成に限られず、種々の変形が可能であり、例えば、ＤＶＤレコーダ１は、ＣＰＲＭ対応ＤＶＤメディア７Ａに替えてＳＤメモリーカード（Ｓｅｃｕｒｅ  Ｄｉｇｉｔａｌ  Ｍｅｍｏｒｙ  Ｃａｒｄ）を使用する構成であってもよい。また、暗号化デバイス９は、所定の時間が経過する毎に、メディアキー取得処理を行う構成であっても構わない。
【図面の簡単な説明】
【００２７】
【図１】本発明の実施形態に係るＤＶＤレコーダの概略を示す構成図。
【図２】（ａ）（ｂ）は同ＤＶＤレコーダにおける暗号化デバイスの暗号化処理フロー。
【図３】同ＤＶＤレコーダのＣＰＲＭ機能を用いた録画処理フロー。
【符号の説明】
【００２８】
１  ＤＶＤレコーダ
２  制御部
３  デバイスキー
４  記憶部
５  ハードディスク
６  ハードディスク録画再生装置（録画手段）
７  ＤＶＤメディア
７Ａ  ＣＰＲＭ対応ＤＶＤメディア
８  ＤＶＤ録画再生装置（録画手段）
９  暗号化デバイス
１１  命令受付部
１４  ハードディスクキー
１５  メディアキー
【図１】
2008059675.tif 000003
【図２】
2008059675.tif 000004
【図３】
2008059675.tif 000005